(57)【要約】【課題】多様な販売形態に十分に対応可能とする。【解決手段】客による商品の登録及び客による精算を実行し、少なくとも登録された商品の引き渡しで用いられるための情報を出力する第１モードを実行する第１実行手段と、客による商品の登録及び客による精算を実行し、登録された商品の引き渡しで用いられるための情報を出力することなく、登録された商品および精算に関する情報を出力する第２モードを実行する第２実行手段と、第１実行手段による第１モードと第２実行手段による第２モードとを切り替え可能な切り替え手段と、を有する。【選択図】図１０
2019211910.tif 000002
【特許請求の範囲】
【請求項１】
商品販売データ処理装置であって、
客による商品の登録及び客による精算を実行し、少なくとも登録された商品の引き渡しで用いられるための情報を出力する第１モードを実行する第１実行手段と、
客による商品の登録及び客による精算を実行し、登録された商品の引き渡しで用いられるための情報を出力することなく、登録された商品および精算に関する情報を出力する第２モードを実行する第２実行手段と、
前記第１実行手段による第１モードと前記第２実行手段による前記第２モードとを切り替え可能な切り替え手段と、
を有することを特徴とする商品販売データ処理装置。
【請求項２】
商品に付されたコード情報を読み取る読み取り手段を有し、
前記読み取り手段は、前記第１モードが実行されているときと、前記第２モードが実行されているときとで動作内容が異なることを特徴とする請求項１に記載の商品販売データ処理装置。
【請求項３】
登録された商品を所定の取り消し方法によって取り消し可能な取り消し手段を有し、
前記所定の取り消し方法は、前記第１モードが実行されているときと、前記第２モードが実行されているときとで異なることを特徴とする請求項１または請求項２に記載の商品販売データ処理装置。
【請求項４】
前記第１モードが実行されている場合の前記所定の取り消し方法は、客による取り消しが可能な方法である請求項３に記載の商品販売データ処理装置。
【請求項５】
前記第１モードにおいて精算が実行された場合には、登録された商品を示す情報を他の装置に送信することを特徴とする請求項１から請求項４のいずれか１項に記載の商品販売データ処理装置。
【請求項６】
前記第１実行手段は、登録された商品の引き渡しで用いられるための情報を、当該情報を印刷した媒体として出力することを特徴とする請求項１から請求項５のいずれか１項に記載の商品販売データ処理装置。
【請求項７】
商品販売データ処理装置としてコンピュータを機能させるプログラムあって、
前記コンピュータを、
客による商品の登録及び客による精算を実行し、少なくとも登録された商品の引き渡しで用いられるための情報を出力する第１モードを実行する第１実行手段と、
客による商品の登録及び客による精算を実行し、登録された商品の引き渡しで用いられるための情報を出力することなく、登録された商品および精算に関する情報を出力する第２モードを実行する第２実行手段と、
前記第１実行手段による第１モードと前記第２実行手段による前記第２モードとを切り替え可能な切り替え手段として機能させることを特徴とするプログラム。
【発明の詳細な説明】
【技術分野】
【０００１】
本発明は、商品販売データ処理装置、及び、プログラムに関する。
【背景技術】
【０００２】
客による商品の登録及び客による精算を実行可能な装置において、簡易券売機として可能な装置が提案されている（例えば、特許文献１参照）。
【先行技術文献】
【特許文献】
【０００３】
【特許文献１】特開２０１７−１０２８５６号公報
【発明の概要】
【発明が解決しようとする課題】
【０００４】
特許文献１に開示された技術は、多様化した販売形態に十分に対応できるとは言い難い。
【０００５】
本発明は、このような事情に鑑みてなされたもので、その目的は、多様な販売形態に十分に対応可能な技術を提供することにある。
【課題を解決するための手段】
【０００６】
上述した課題を解決するために、本発明の一態様である商品販売データ処理装置は、客による商品の登録及び客による精算を実行し、少なくとも登録された商品の引き渡しで用いられるための情報を出力する第１モードを実行する第１実行手段と、客による商品の登録及び客による精算を実行し、登録された商品の引き渡しで用いられるための情報を出力することなく、登録された商品および精算に関する情報を出力する第２モードを実行する第２実行手段と、前記第１実行手段による第１モードと前記第２実行手段による前記第２モードとを切り替え可能な切り替え手段と、を有することを特徴とする。
【０００７】
上記によれば、登録された商品の引き渡しで用いられるための情報を出力する第１モードと、登録された商品および精算に関する情報を出力する第２モードとを切り替え可能なため、多様な販売形態に十分に対応可能となる。
【０００８】
上記商品販売データ処理装置において、商品に付されたコード情報を読み取る読み取り手段を有し、前記読み取り手段は、前記第１モードが実行されているときと、前記第２モードが実行されているときとで動作内容が異なってもよい。
【０００９】
上記によれば、読み取り手段の動作内容を異ならせることができるので、多様な販売形態に十分に対応可能となる。
【００１０】
上記商品販売データ処理装置において、登録された商品を所定の取り消し方法によって取り消し可能な取り消し手段を有し、前記所定の取り消し方法は、前記第１モードが実行されているときと、前記第２モードが実行されているときとで異なることを特徴とする。
【００１１】
上記によれば、取り消し方法が異なることにより、多様な販売形態に十分に対応可能となる。
【００１２】
上記商品販売データ処理装置において、前記第１モードが実行されている場合の前記所定の取り消し方法は、客による取り消しが可能な方法である。
【００１３】
上記によれば、客の利便性を向上させることができる。
【００１４】
上記商品販売データ処理装置において、前記第１モードにおいて精算が実行された場合には、登録された商品を示す情報を他の装置に送信してもよい。
【００１５】
上記によれば、登録された商品を示す情報を他の装置に送信することで、多様な販売形態に十分に対応可能となる。
【００１６】
上記商品販売データ処理装置において、前記第１実行手段は、登録された商品の引き渡しで用いられるための情報を、当該情報を印刷した媒体として出力することを特徴とする。
【００１７】
上記によれば、媒体として出力可能なため、多様な販売形態に十分に対応可能となる。
【００１８】
上述した課題を解決するために、本発明の他の態様であるプログラムは、商品販売データ処理装置としてコンピュータを機能させるプログラムあって、前記コンピュータを、客による商品の登録及び客による精算を実行し、少なくとも登録された商品の引き渡しで用いられるための情報を出力する第１モードを実行する第１実行手段と、客による商品の登録及び客による精算を実行し、登録された商品の引き渡しで用いられるための情報を出力することなく、登録された商品および精算に関する情報を出力する第２モードを実行する第２実行手段と、前記第１実行手段による第１モードと前記第２実行手段による前記第２モードとを切り替え可能な切り替え手段として機能させることを特徴とするプログラムである。
【００１９】
上記によれば、多様な販売形態に十分に対応可能となる。
【発明の効果】
【００２０】
以上のように、多様な販売形態に十分に対応可能となる。
【図面の簡単な説明】
【００２１】
【図１】ＰＯＳ端末の設置例を示す図である。
【図２】ＰＯＳ端末の外観例を示す図である。
【図３】ＰＯＳ端末の構成例を示す図である。
【図４】ＰＯＳ端末の動作モードの概略を説明する図である。
【図５】ＰＯＳ端末の動作モードの概略を説明する図である。
【図６】ＰＯＳ端末の動作モードの概略を説明する図である。
【図７】オーダリングシステムの構成例を示す図である。
【図８】キッチンモニタの構成の一例を示す概略ブロック図である。
【図９】ＰＯＳ端末装置の店舗での設置例を示す図である。
【図１０】登録画面を示す図である。
【図１１】レシートや食券の一例を示す図である。
【図１２】券売機モードでの処理の一例を示すフローチャートを示す図である。
【図１３】フルセルフモードでの処理の一例を示すフローチャートを示す図である。
【発明を実施するための形態】
【００２２】
図１は、本発明の一実施形態に係るＰＯＳ（Point Of Sales）端末２０の設置例を示す図である。ＰＯＳ端末２０は、商品販売データ処理装置の一例である。図１（Ａ）は、ＰＯＳ端末２０等を客側から見た斜視図である。図１（Ｂ）は、ＰＯＳ端末２０等を店員側から見た斜視図である。図１（Ａ）に示すように客側から見てＰＯＳ端末２０の右側にカウンタが置かれている。
【００２３】
図２は、ＰＯＳ端末２０の外観例を示す図である。図２（Ａ）は、ＰＯＳ端末２０を客側から見た斜視図である。図２（Ｂ）は、ＰＯＳ端末２０を店員側から見た斜視図である。図３は、ＰＯＳ端末２０の構成例を示す図である。図２及び図３において、同一部分には同一符号を付している。
【００２４】
以下、図２を参照しつつ、図３に示したＰＯＳ端末２０の構成例を説明する。ＰＯＳ端末２０は、ＣＰＵ２０１と、ＲＯＭ２０２と、ＲＡＭ２０３と、ハードディスク２０４と、客側表示部２０５と、客側スキャナ部２０６と、カード決済部２０８と、釣銭機２０９と、客側撮像部２１６と、客側人感センサ２１７と、店員側表示部２１０と、キー操作部２１１と、店員側スキャナ部２１２と、印刷部２１３と、音声出力部２１４と、通信部２１５、店員側撮像部２１８と、店員側人感センサ２１９とを備える。これらは、バスを介して相互に通信可能である。
【００２５】
ＣＰＵ２０１は、中央演算処理装置であり、ＲＯＭ２０２に記憶されているプログラムを読み出して実行することにより、ＰＯＳ端末２０の動作を制御する。
ＲＯＭ２０２は、読み出し専用メモリであり、プログラムをはじめとしてＣＰＵ２０１が利用する各種の情報を記憶する。
【００２６】
ＲＡＭ２０３は、読み出し書き込みメモリであり、種々の情報を記憶する。例えば、ＲＡＭ２０３は、外部から取得した情報（例えば、ストアコントローラ３０から取得した商品マスタ等）や、処理において生成した情報（例えば、登録処理において生成した登録情報、精算処理において生成した精算情報等）を記憶する。
【００２７】
ハードディスク２０４は、種々の情報を記憶する。ハードディスク２０４は、例えば、ＲＯＭ２０２に代えて、ＣＰＵ２０１が実行するプログラム等を記憶してもよい。また、ＲＡＭ２０３に代えて、外部から取得した情報や、処理において生成した情報を記憶してもよい。
【００２８】
客側表示部２０５は、客用として設けられたタッチディスプレイであり、客に種々の情報を表示するとともに、客から種々の入力を受け付ける。客側表示部２０５は、商品に付されたコード情報を読み取る読み取り手段の一例である。客側スキャナ部２０６は、客用として設けられたスキャナ部であり、例えば、商品に付されているバーコード（商品コード等の識別情報）等に光（レーザ光）を照射して光学的に読み取る。
【００２９】
なお、客側スキャナ部２０６は、客が商品を登録する際に用いられるが、客は他の方法によって商品を登録してもよい。例えば、客側表示部２０５に、商品の注文ボタン等が表示されている場合、客は、注文ボタンを操作（押下）し、商品を登録することができる。客側撮像部２１６は、釣銭機２０９を含む客側方向を撮像する。客側人感センサ２１７は、人（主に客）の接近を検知する。
【００３０】
カード決済部２０８は、各種カード（クレジットカード、交通系カード等）による決済機構である。本実施形態のカード決済部２０８は、カード認識部（読取部）や表示部や操作部を備えるが、少なくとも、カード認識部を備えるものであればよい。
【００３１】
釣銭機２０９（現金決済部）は、現金による決済機構であり、紙幣や硬貨の投入口、紙幣や硬貨の排出口を有し、投入口への投入金額を算出し、投入金額と買上金額の差分である釣銭金額を算出し、釣り銭を排出口から排出する。なお、当該釣銭機２０９は、客側に向けられており、客が操作するものである。このように、ＰＯＳ端末２０は、顧客側に金銭を入出金するための入出金部を備える。
【００３２】
店員側表示部２１０は、店員用として設けられたタッチディスプレイであり、店員に種々の情報を表示するとともに、店員から種々の入力を受け付ける。
キー操作部２１１は、各種のキー（ボタン）から構成され、店員から種々の入力を受け付ける。
店員側スキャナ部２１２は、店員用として設けられたスキャナ部であり、例えば、商品に付されているバーコード（商品コード等の識別情報）や店員の名札に付された店員コード等に光（レーザ光）を照射して光学的に読み取る。
【００３３】
なお、店員側スキャナ部２１２は、店員が商品を登録する際に用いられるが、店員は他の方法によって商品を登録してもよい。例えば、キー操作部２１１に、商品に対応するキー（例えば、スポーツ新聞に対応するキー等）が配置されている場合、店員は、当該キーを操作（押下）し、当該商品を登録することができる。また、店員側表示部２１０に、商品に対応するプリセットキーが表示されている場合、店員は、当該プリセットキーを操作し、当該商品を登録することができる。店員側撮像部２１８は、店員側方向を撮像する。店員側人感センサ２１９は、人（主に店員）の接近を検知する。
【００３４】
印刷部２１３は、媒体を排出する印刷部であり、例えば、レシート等の種々の媒体を印刷、発行する。印刷部２１３は、店員側から客側、客側から店員側に向き（媒体発行口の方向）を回転自在に変更可能な１台の印刷部である。印刷部の向きは、手動で変更してもよいし、例えば動作モード（詳細は後述）の移行に応じて自動的に変更（メカ的に制御等）してもよい。なお、印刷部の向きの正誤をセンサなどで検出してもよい。このように、印刷部２１３は、印刷物の排出先を店員側と顧客側のいずれか一方に切り替え可能である。
【００３５】
音声出力部２１４は、音声を出力する。例えば、音声出力部２１４は、音声ガイダンス等を出力する。
通信部２１５は、他端末（他のＰＯＳ端末２０）との間において情報を送受信する。
【００３６】
（各動作モードの概要）
続いて、ＰＯＳ端末２０の動作モードについて説明する。ＰＯＳ端末２０は、複数の動作モードを有する。例えば、ＰＯＳ端末２０は、通常モード、フルセルフモード、セミセルフモード、及び券売機モードを有する。なお、以下の説明する動作モードは、通常業務中の動作モード（商品登録処理や会計処理に係る動作モード）であり、売上や在高等を集計、照会等する集計モード、店員や保守員等が設定作業や保守作業を行う際のメンテナンスモード、新人がトレーニングを行う際のトレーニングモード等は含まない。
【００３７】
図４〜図６は、ＰＯＳ端末２０の動作モードの概略を説明する図である。図４は、通常モードの概略を説明する図である。図４（Ａ）は通常モードにおける処理（商品登録処理、会計処理）の流れや人（店員、客）の動作を表した模式図であり、図４（Ｂ）は通常モードにおけるＰＯＳ端末２０の動作の基本的な流れを示したフローチャートである。図５は、フルセルフモードの概略を説明する図である。図５（Ａ）はフルセルフモードにおける処理（商品登録処理、会計処理）の流れや人（客）の動作を表した模式図であり、図５（Ｂ）はフルセルフモードにおけるＰＯＳ端末２０の動作の基本的な流れを示したフローチャートである。図６は、セミセルフモードの概略を説明する図である。図６（Ａ）はセミセルフモードにおける処理（商品登録処理、会計処理）の流れや人（客）の動作を表した模式図であり、図６（Ｂ）及び図６（Ｃ）はセミセルフモードにおけるＰＯＳ端末２０の動作の基本的な流れを示したフローチャートである。
【００３８】
なお、以下の説明において、上述の動作モード（通常モード、フルセルフモード、セミセルフモード、券売機モード）の分類とは別の切り口として、ＰＯＳ端末２０が、商品登録処理を実行するモードを登録モード、精算処理を実行するモードを会計モードと称する場合がある。
【００３９】
（通常モード）
通常モードは、図４（Ａ）に示すように、店員側にて登録処理を実行し、客側にて精算処理を実行する動作モードである。即ち、図４（Ｂ）に示すように、通常モードの場合、店員側が登録モードになり、客側が会計モードになる。つまり、ＰＯＳ端末２０は、登録処理〜精算処理の全体を通して見た場合、登録会計モードとして動作する。
【００４０】
通常モードの場合、店員は、客の買上商品を店員側（店員側スキャナ部２１２、店員側表示部２１０、キー操作部２１１）にて登録する。つまり、ＰＯＳ端末２０は、店員の操作（店員側スキャナ部２１２、店員側表示部２１０、キー操作部２１１等の操作）により、買上商品の登録処理を実行する（図４（Ａ）の上段）。
【００４１】
店員による登録処理が完了した場合、客は、店員側表示部２１０において買上商品の合計金額を確認し、釣銭機２０９に貨幣を投入、または、カード決済部２０８を操作し、精算する（図４（Ａ）の下段）。つまり、ＰＯＳ端末２０は、客の操作等（釣銭機２０９への貨幣の投入、カード決済部２０８の操作）により、精算処理を実行する（図４（Ａ）の下段）。
【００４２】
つまり、通常モードでは、図４（Ｂ）に示すように、初めは店員側において、例えば店員側スキャナ部２１２により商品がスキャン等され（ステップＳ１０：ＹＥＳ）、商品を登録する（ステップＳ１１）。小計キー（例えば、店員側表示部２１０に表示された小計キー、又は、キー操作部２１１に配置された小計キー等）の押下後は（ステップＳ３０：ＹＥＳ）、客側において、例えば釣銭機２０９により精算が行われ（ステップＳ５０）、処理が完了する。なお、ステップＳ３０に小計キーは、登録処理を完了させるための操作キーであり、小計ボタン、登録完了キー、登録完了ボタン、お会計キー、お会計ボタンなどと称する場合もある。
【００４３】
なお、客は、店員による登録処理が完了する迄（合計金額が確定する迄）、待機していてもよいが、登録処理が完了する前に釣銭機２０９に貨幣を投入してもよい。つまり、ＰＯＳ端末２０は、登録処理中において入金を受付可能である（図４（Ａ）の上段）。
【００４４】
また、店員は、客による精算が完了する迄（客がお釣りやレシートが取る迄）、待機していてもよいが、次の客の買上商品を登録してもよい。つまり、ＰＯＳ端末２０は、精算処理中において次客の買上商品を登録可能である（図４（Ａ）の下段）。また、店員は、客による精算中に不在であってもよい（図４（Ａ）の下段）。つまり、当該客の精算中には、当該客の応対を終えてもよい。
【００４５】
また、ＰＯＳ端末２０は、お釣りがある場合には、お釣りの取り忘れを防止するため、釣銭機２０９による釣銭・釣札の払出しを制御し、客が釣銭・釣札を取り除いたことをセンサ等で認識した上で、印刷部２１３によるレシートの発行を制御する。他の動作モードにおいても同様である。なお、上述したように、通常モードでは、お釣りを受け取る客の前に店員がいる場合といない場合とがあるが、店員がいる場合は、必ずしも上述した制御を行わなくてもよい（即ち、釣銭・釣札の払出とレシートの発行とを同時に行ってもよいし、先にレシートを発行してもよい）。また、現在の動作モードや店員の存在／不在（例えば、店員の存在／不在はセンサにより認識）に応じて、釣銭・釣札の払出しとレシートの発行のタイミング等を制御してもよい。
【００４６】
（フルセルフモード）
フルセルフモードは、図５（Ａ）に示すように、客側にて登録処理を実行し、客側にて精算処理を実行する動作モードである。即ち、図５（Ｂ）に示すように、フルセルフモードの場合、客側が登録モードにも会計モードにもなる。つまり、ＰＯＳ端末２０は、登録処理〜精算処理の全体を通して見た場合、登録会計モードとして動作する。
【００４７】
フルセルフモードの場合、客は、買上商品を客側（客側スキャナ部２０６、客側表示部２０５）にて登録する。つまり、ＰＯＳ端末２０は、客の操作等（客側スキャナ部２０６によるスキャン、客側表示部２０５へのタッチ）により、買上商品の登録処理を実行する（図５（Ａ）の上段）。
【００４８】
登録処理が完了した場合、客は、客側表示部２０５において買上商品の合計金額を確認し、釣銭機２０９に貨幣を投入、または、カード決済部２０８を操作し、精算する（図５（Ａ）の下段）。つまり、ＰＯＳ端末２０は、客の操作等（釣銭機２０９への貨幣の投入、カード決済部２０８の操作）により、精算処理を実行する（図５（Ａ）の下段）。
【００４９】
つまり、フルセルフモードでは、図５（Ｂ）に示すように、客側において、例えば客側スキャナ部２０６により商品がスキャン等され（ステップＳ２０：ＹＥＳ）、商品を登録する（ステップＳ２１）。登録完了キー（例えば、客側表示部２０５に表示された登録完了キー等）の押下後は（ステップＳ４０：ＹＥＳ）、客側において、例えば釣銭機２０９により精算が行われ（ステップＳ５０）、処理が完了する。なお、ステップＳ４０に係る登録完了キーは、登録処理を完了させるための操作キーであり、登録完了ボタン、小計キー、小計ボタン、お会計キー、お会計ボタンなどと称する場合もある。
【００５０】
なお、フルセルフモードは、上述したように、客側にて登録処理も精算処理も実行するが、店員側は何もできないという訳ではない。つまり、ＰＯＳ端末２０は、フルセルフモードで動作しているときであっても、例えば、店員側スキャナ部２１２にて店員コードのスキャンが可能である。なお、店員側及び客側の両側にて登録処理を実行している状態（動作モード）を、ダブルスキャンモードと称する場合もある。
【００５１】
（セミセルフモード）
セミセルフモードは、店員側にて登録処理を実行する登録専用モードと、客側にて精算処理を実行する会計専用モードとに区別される。図６の例は、ＰＯＳ端末２０−１が登録専用モードで動作し、ＰＯＳ端末２０−２が会計専用モードで動作している例である。
【００５２】
セミセルフモードの場合、店員は、登録専用モードのＰＯＳ端末２０−１において、客の買上商品を店員側（店員側スキャナ部２１２、店員側表示部２１０、キー操作部２１１）にて登録する。つまり、ＰＯＳ端末２０−１は、店員の操作（店員側スキャナ部２１２、店員側表示部２１０、キー操作部２１１等の操作）により、買上商品の登録処理を実行する（図６（Ａ）の上段）。
【００５３】
店員による登録処理が完了した場合、客は、会計専用モードのＰＯＳ端末２０−２に移動し、店員側表示部２１０において買上商品の合計金額を確認し、釣銭機２０９に貨幣を投入、または、カード決済部２０８を操作し、精算する（図６（Ａ）の下段）。つまり、ＰＯＳ端末２０−２は、客の操作等（釣銭機２０９への貨幣の投入、カード決済部２０８の操作）により、精算処理を実行する（図６（Ａ）の下段）。
【００５４】
登録専用モードのＰＯＳ端末２０（図６の例ではＰＯＳ端末２０−１）において登録処理が完了した場合、客は、登録専用モードのＰＯＳ端末２０から会計専用モードのＰＯＳ端末２０（図６の例ではＰＯＳ端末２０−２）に移動するが、移動先のＰＯＳ端末２０には、精算処理に必要な情報（登録情報等）が供給される。
【００５５】
登録専用モードのＰＯＳ端末２０（図６の例ではＰＯＳ端末２０−１）から会計専用モードのＰＯＳ端末２０（図６の例ではＰＯＳ端末２０−２）への精算処理に必要な情報の供給方法としては、登録専用モードのＰＯＳ端末２０から会計専用モードのＰＯＳ端末２０に精算処理に必要な情報を送信（ストアコントローラ３０を介して送信してもよい。以下同様）する方法や、登録専用モードのＰＯＳ端末２０において媒体（精算処理に必要な情報を取得するためのバーコード等が印刷された媒体）を発行する方法がある。
【００５６】
なお、図６の例では、会計専用モードのＰＯＳ端末２０は１台（ＰＯＳ端末２０−２）しか存在していないが、会計専用モードのＰＯＳ端末２０が２台以上存在している場合には、登録専用モードのＰＯＳ端末２０（図６の例ではＰＯＳ端末２０−１）において、精算処理を実行させるＰＯＳ端末（会計専用モードのＰＯＳ端末２０）を指定してもよい。なお、登録専用モードのＰＯＳ端末２０において、媒体（精算処理に必要な情報を取得するためのバーコード等が印刷された媒体）を発行した場合には、当該媒体を読み取った会計専用モードのＰＯＳ端末２０において精算処理が実行される。
【００５７】
つまり、セミセルフモードでは、はじめは、登録専用モードのＰＯＳ端末２０（ＰＯＳ端末２０−１）の店員側において商品を登録する。例えば、図６（Ｂ）に示すように、店員側スキャナ部２１２のスキャン等により（ステップＳ１０：ＹＥＳ）、商品を登録する（ステップＳ１１）。小計キー（例えば、店員側表示部２１０に表示された小計キー、又は、キー操作部２１１に配置された小計キー等）の押下後に（ステップＳ３０：ＹＥＳ）、例えば会計専用モードのＰＯＳ端末２０（ＰＯＳ端末２０−２）が指定されると（ステップＳ３１：ＹＥＳ）、指定されたＰＯＳ端末２０に登録情報が送信され（ステップＳ３２）、処理が完了する。
【００５８】
なお、図６（Ｂ）の例では、商品登録の終了時にはまずは小計キーを押下し、続いて（小計キーの押下後に）、ＰＯＳ端末２０を指定するといった処理手順であるが、商品登録の終了時に、直接（小計キーを押下せずに）、ＰＯＳ端末２０を指定するといった処理手順であってもよい。後者の場合、画面上に小計キーを表示しなくてもよい。
【００５９】
続いて、図６（Ｃ）に示すように、登録専用モードのＰＯＳ端末２０（ＰＯＳ端末２０−１）によって指定されたＰＯＳ端末２０（ＰＯＳ端末２０−２）は、登録情報の受信後（ステップＳ４９：ＹＥＳ）、客側において、例えば釣銭機２０９により精算が行われ（ステップＳ５０）、処理が完了する。
【００６０】
なお、店員は、登録情報を送信した後（若しくは媒体を発行した後）は、次の客の買上商品を登録可能である（図６（Ａ）の下段）。また、店員は、登録情報を送信した後は、不在であってもよい（図６（Ａ）の下段）。
【００６１】
なお、図６の例では、会計専用モードのＰＯＳ端末２０−２は、登録専用モードのＰＯＳ端末２０−１において登録された商品の登録情報を用いて精算処理を実行している。つまり、会計専用モードのＰＯＳ端末２０−２が精算処理に用いる登録情報は、ＰＯＳ端末２０−１が登録専用モードとして動作しているときに登録した商品の登録情報である。しかしながら、会計専用モードのＰＯＳ端末２０−２に登録情報を送信可能であれば（若しくはお会計券を発行可能であれば）、会計専用モードのＰＯＳ端末２０−２が精算処理に用いる登録情報は、必ずしも、ＰＯＳ端末２０−１が登録専用モードとして動作しているときに登録した商品の登録情報でなくてもよい。
【００６２】
一例として、会計専用モードのＰＯＳ端末２０−２が精算処理に用いる登録情報は、ＰＯＳ端末２０−１が通常モードとして動作しているときに登録した商品の登録情報であってもよい。つまり、会計専用モードのＰＯＳ端末２０−２は、ＰＯＳ端末２０−１が通常モードとして動作しているときに登録した商品の登録情報を用いて精算処置を実行してもよい。
【００６３】
なお、ＰＯＳ端末２０−１の店員側において登録処理を終了したとき（登録情報を送信しようとするときやお会計券を発行しようとするとき）に、客側において精算の操作（釣銭機２０９への貨幣の投入、カード決済部２０８の操作）が既に開始されていた場合には、登録情報の送信若しくはお会計券の発行を禁止してもよいし、精算の操作をキャンセルしてもよい。
【００６４】
また、図６の例では、ＰＯＳ端末２０−２は、会計専用モードとして動作しているときに、登録情報を受信し（若しくはお会計券を読み取り）、精算処理を実行している。しかしながら、登録情報を受信した後（若しくはお会計券を読み取った後）に精算処理が実行可能であれば、ＰＯＳ端末２０−２が登録情報を受信する（若しくはお会計券を読み取る）ときの動作モードは、必ずしも、会計専用モードでなくてもよい。
【００６５】
一例として、ＰＯＳ端末２０−２は、フルセルフモードで動作しているときに、ＰＯＳ端末２０−１から登録情報を受信し、他端末から受信した登録情報を用いて精算処理を実行してもよい。なお、ＰＯＳ端末２０−２は、他端末から受信した登録情報を用いて精算処理を実行する前にフルセルフモードから会計専用モードに移行する（会計専用モードの精算処置として他端末から受信した登録情報を処理する）。なお、ＰＯＳ端末２０−２は、他端末から受信した登録情報を用いて精算処理を実行する前にフルセルフモードから会計専用モードに移行してもしなくてもよい（フルセルフモードの精算処置として他端末から受信した登録情報を処理してもよい）。
【００６６】
（動作モードの移行）
ＰＯＳ端末２０は、店員による明示的なモード移行操作（例えば、画面上の入力、選択操作等）、店員による明示的なモード移行操作以外の他の操作（例えば、店員コードの読取等）に従って動作モードが移行する。また、ＰＯＳ端末２０は、店員の操作に拠らない所定条件（経過時間や所定時刻（スケジュール）等の時間に関する条件、他端末等との間における情報の送受信に関する条件等）に基づいて動作モードが移行する。
【００６７】
本実施形態におけるＰＯＳ端末２０には、上述した通常モード、フルセルフモード、及びセミセルフモードに加え、券売機モードが設けられている。以下の説明では、券売機モードとフルセルフモードとが切り替えて運用されるオーダリングシステムの実施例について説明する。本実施形態におけるオーダリングシステムが運用されている店舗は、日中は調理を行い料理等を客に販売し、夜間は日中に作っておいた弁当や、カップめん等の販売を行う店舗である。そのため、当該店舗のＰＯＳ端末２０は、日中（午前１１時〜午後８時）は券売機モードを実行し、夜間（午後８時〜午後１１時）はフルセルフモードを実行する。なお、夜間に販売されている弁当を含む商品には、バーコードが付されている。
【００６８】
本実施形態において、券売機モードとフルセルフモードとの切り替えは、店員により手動で行われる。具体的には、店員がキー操作部２１１に設けられた切替キー（または店員側表示部２１０に表示された切替ボタン）を押下することで、券売機モードからフルセルフモード、またはフルセルフモードから券売機モードに切り替える。こうした手動による切り替えの他に、所定の条件（例えば、時刻、時間帯、操作の有無等に基づく条件）が満たされた場合に自動的に切り替えることも可能である。具体的には、例えば午後８時になると、フルセルフモードから券売機モードに自動的に切り替えたり（時刻の到来が条件）、キー操作部２１１等で店員による操作が検出されない状態が所定時間以上継続した場合に切り替えたり（無操作検出継続時間が条件）することも可能である。
【００６９】
図７は、オーダリングシステム１の構成例を示す図である。同図に示すように、オーダリングシステム１は、管理装置１０と、ＰＯＳ端末装置２０Ａ、２０Ｂと、キッチンモニタ８０と、キッチンプリンタ９５と、アクセスポイント１００と、ルータ４００とを備え、各機器を通信可能に接続して構成されている。以下の説明において、ＰＯＳ端末装置２０Ａ、２０Ｂをそれぞれ区別しない場合には、任意の１台をＰＯＳ端末装置２０と称する。
【００７０】
管理装置１０とＰＯＳ端末装置２０とキッチンモニタ８０とキッチンプリンタ９５とは、互いに、ＬＡＮ１２０を介して接続されている。ＬＡＮ接続の形態は、有線であっても良いし、無線であっても良い。ルータ４００は、オーダリングシステム１内の装置（例えば管理装置１０）とオーダリングシステム１外の装置（例えば本部のサーバ）とのネットワーク１３０を介する通信を制御（経路選択制御等）する。
【００７１】
管理装置１０は、オーダリングシステム１全体を制御（管理）する。例えば、管理装置１０は、制御部の他、記憶部を備え、種々のファイル（例えば、商品ファイル、指示ファイル、印字フォーマットファイル、注文データファイル、会計ファイル等）を記憶（管理）する。商品ファイルは、例えば各商品の商品コード、商品名、価格等の各種商品情報からなっている。また例えば、管理装置１０は、通信部を備え、記憶部内のファイル（又はファイル上のデータ）を必要に応じて他の装置に送信する。また例えば、管理装置１０は、集計部を備え、店員からの指示に応じて又は予め定めた所定時刻に、記憶部に記憶している情報等に基づいて、集計情報（例えば、日計レポート等の売上実績情報）を生成する。
【００７２】
ＰＯＳ端末装置２０は、券売機モードで精算が実行された場合には、登録された商品を示す情報をキッチンモニタ８０またはキッチンプリンタ９５に送信する。この「登録された商品を示す情報」を、以下の説明では注文データともいう。注文データは、本実施形態では、登録された商品名、及び客が購入した商品を一意に示す番号を含み、付加情報が含まれることもある。番号や付加情報については後述する。
【００７３】
注文データを受信したキッチンモニタ８０は、注文データを表示する。また、注文データを受信したキッチンプリンタ９５は、注文データを媒体に印刷する。注文データを表示されたキッチンモニタ８０を見た店員または注文データが印刷された媒体を見た店員は、登録された商品を調理するなどして用意する。
【００７４】
図８はキッチンモニタ８０の構成の一例を示す概略ブロック図である。同図に示すようにキッチンモニタ８０は、ＣＰＵ８１と、ＲＯＭ８３と、ＲＡＭ８５と、タッチパネル８７と、通信部８９とを、バス９１によって相互に接続して構成されている。ＣＰＵ８１は、各種プログラムを実行する。ＲＯＭ８３は、例えば、ＣＰＵ８１において実行される各種プログラムや、タッチパネル８７において表示される画像データ（画像フォーマット情報）等を記憶する。ＲＡＭ８５は、例えば管理装置１０から受信したファイル（例えばメニューファイルや指示ファイル等）や、ＰＯＳ端末２０から受信したデータ（例えば、商品を示す情報等）を一時記憶する。
【００７５】
タッチパネル８７は、登録された商品を用意したりする指示、調理指示、完了させた調理指示に対応する商品の配膳指示等を表示する。通信部８９は、ＰＯＳ端末２０や管理装置１０等と送受信を行うものである。このオーダリングシステム１の場合、２台のキッチンモニタ８０を設置し、１台はキッチン（厨房）用に不図示の調理指示画面を表示するものであり、もう１台はホール（配膳）用に不図示の配膳指示画面を表示するものである。なお、キッチンモニタ８０を１台のみ設置し、切替ボタン等を操作することによって、調理指示画面と配膳指示画面を切り換えるように構成しても良い。またキッチンモニタ８０を３台以上設置しても良い。
【００７６】
キッチンプリンタ９５は、主に厨房近傍に設置され、上述したように商品を示す情報等を印刷する。キッチンプリンタ９５は、不図示のＣＰＵとＲＯＭとＲＡＭと印刷部と通信部と表示部と操作部とをバスによって相互に接続して構成されている。ＣＰＵは各種プログラム（例えば、印刷用のプログラム等）を実行する。ＲＯＭは、例えばＣＰＵにおいて実行される各種プログラムや、印刷部において印刷される印刷フォーマットデータ等を記憶する。ＲＡＭは、例えば管理装置１０から受信したファイル（例えばメニューファイル等）を一時記憶する。通信部はＰＯＳ端末２０や管理装置１０等と送受信を行う。表示部は種々の画面を表示する。操作部は操作者である店員からの入力が行われる。本実施形態において、キッチンプリンタ９５を１台のみ設置しているが、複数台設置しても良い。
【００７７】
図９は、ＰＯＳ端末装置２０Ａ、２０Ｂの店舗での設置例を示す図である。フルセルフモード及び券売機モードのいずれも、客側表示部２０５に登録画面等が表示される。そして、ＰＯＳ端末装置２０は、フルセルフモードを実行している場合には、客による商品の登録及び客による精算を実行し、登録された商品の引き渡しで用いられるための情報を出力することなく、登録された商品および精算に関する情報を出力する。本実施形態では、登録された商品に基づく情報を印刷したレシートとして出力（発行）する。このフルセルフモードは、第２モードの一例である。
【００７８】
一方、券売機モードを実行している場合には、ＰＯＳ端末装置２０は、客による商品の登録及び客による精算を実行し、少なくとも登録された商品の引き渡しで用いられるための情報を出力する。本実施形態では、登録された商品の引き渡しで用いられるための情報を、当該情報を印刷した媒体（食券）として出力（発行）する。この券売機モードは、第１モードの一例である。なお、券売機モードを実行している場合にもレシートは発行される。また、フルセルフモード及び券売機モードの実行と、これらのモードの切り替えは、ＣＰＵ２０１により実行される。ＣＰＵ２０１は、第１実行手段、第２実行手段、及び切り替え手段の一例である。
【００７９】
次に、券売機モードとフルセルフモードとで表示される登録画面について説明する。図１０（Ａ）は、券売機モードで表示される登録画面３１０を示す図である。登録画面３１０には、商品登録ボタン３１１、登録商品表示欄３１２、会計ボタン３１３、及び取り消しボタン３１４が含まれる。
【００８０】
商品登録ボタン３１１は、客が所望の商品を登録するためのボタンである。登録商品表示欄３１２には、商品登録ボタン３１１によって登録された商品が表示される。会計ボタン３１３は、登録された商品を精算するためのボタンである。取り消しボタン３１４は、登録された商品を取り消すためのボタンである。取り消しボタン３１４が押下された場合には、登録された全商品が取り消され、何も登録されていない最初の状態となる。
【００８１】
登録画面３１０において、客が商品登録ボタン３１１で商品を登録し、会計ボタン３１３を押下して精算すると、注文データがキッチンモニタ８０及びキッチンプリンタ９５に送信される。このように、本実施形態における券売機モードでは、客は商品の登録を商品登録ボタン３１１でのみ行うため、客側スキャナ部２０６は停止している。
【００８２】
図１０（Ｂ）は、フルセルフモードで表示される登録画面３１０を示す図である。登録画面３２０には、登録商品表示欄３２１、及び会計ボタン３２２が含まれる。客は、商品に付されているバーコード等のコードを客側スキャナ部２０６に読み取らせることで商品を登録する。登録商品表示欄３２１には、客側スキャナ部２０６に読み取らせることで登録された商品が表示される。会計ボタン３１３は、登録された商品を精算するためのボタンである。なお、果物や野菜のようなバーコードがない商品を登録する場合には、それらを登録するための画面で商品を登録するようにしてもよい。登録画面３２０において、客が商品に付されたコードを客側スキャナ部２０６に読み取らせることによって商品を登録し、会計ボタン３１３を押下して精算する。フルセルフモードでは、注文データがキッチンモニタ８０及びキッチンプリンタ９５に送信されることはない。
【００８３】
図１０（Ａ）に示した登録画面３１０と図１０（Ｂ）に示した登録画面３２０との大きな違いは、取り消しボタンの有無である。また券売機モードでは、客側スキャナ部２０６は停止し、フルセルフモードでは客側スキャナ部２０６は停止することなく動作している。このように、客側スキャナ部２０６は券売機モードが実行されているときと、フルセルフモードが実行されているときとで動作内容が異なる。この客側スキャナ部２０６は、読み取り手段の一例である。
【００８４】
取り消しボタンの有無について、フルセルフモードにおいては、取り消しボタン３１４のように客の操作によって商品を取り消すためのボタンが設けられていない。なお、いうまでもなく店員は全ての動作モードで登録された商品を取り消し可能である。取り消しボタン３１４による操作や店員による操作によって取り消しが行われると、ＣＰＵ２０１は、登録された商品を取り消す。ＣＰＵ２０１は、取り消し手段の一例である。
【００８５】
このように、登録された商品を所定の取り消し方法によって取り消し可能であるが、取り消し方法は、券売機モードが実行されているときと、フルセルフモードが実行されているときとで異なる。また、上述したように、券売機モードが実行されている場合の取り消し方法は、客による取り消しが可能な方法である。
【００８６】
動作モードによって取り消し方法が異なる理由は、不正を防止するためである。具体的には、フルセルフモードにおいて複数の商品を一度登録し、取り消しボタンを押下し、１つの商品のみ登録して精算した場合には、一見すると不正を行っていないように見えるため、不正の発見が困難であり、そのため不正を行う者は不正を行いやすい。一方、券売機モードでは、店員が後述する食券を確認することで商品を引き渡すため、上述した不正が行われる余地はない。こうした理由から、券売機モードでは取り消しボタン３１４が設けられ、フルセルフモードでは取り消しボタンは設けられていない。これにより、券売機モードでは客が誤って登録した商品を、店員を介さずに取り消すことができるため、利便性が向上されるとともに、フルセルフモードにおける不正を防止することができる。
【００８７】
なお、本実施形態において、取り消しボタン３１４が押下された場合には、登録された全商品が取り消されるが、これに限るものではなく、一部の商品（例えば、直前に登録された商品や、客が指定した商品）が取り消されるようにしてもよい。
【００８８】
本実施形態において、券売機モードでは、客側スキャナ部２０６を停止させているが、商品以外の情報（例えば、会員カードの会員識別情報や、品券及び金券等の情報）の読み取りは可能としてもよい。
【００８９】
図１１（Ａ）は、券売機モードで発行されるレシートと食券の一例を示す図である。ここでの食券は、登録された商品の引き渡しで用いられる第２媒体の一例である。図１１（Ａ）に示されるレシートには、食券レシートであることや、客が購入した商品（コーヒー、幕の内弁当）や合計、お預り、お釣り等、一般的なレシートと同じ内容が印刷される。このように、ＰＯＳ端末装置２０は、登録された商品の引き渡しで用いられるための情報を、当該情報を印刷した媒体として出力する。
【００９０】
また、食券には、客が購入した商品を一意に示す番号（０１２７）を示す領域３３１と、付加情報（砂糖、ミルクあり）を示す領域３３２とが印刷される。この番号は、少なくとも１営業日において一意な値である。また付加情報は、商品を引き渡す店員に知らせるための情報である。例えば、図１１（Ａ）に示されるように、付加情報は、コーヒーとともに砂糖とミルクを客に渡すことを示している。付加情報は、付加情報が必要な商品が予め定められており、その商品が登録された場合に、不図示の画面によって客により入力することが可能となっている。図１１（Ａ）の場合には、砂糖が必要か否か、またミルクが必要か否かの画面が表示され、客が必要か否かを入力する。図１１（Ａ）では、砂糖やミルクとなっているが、これに限るものではなく、例えばスプーンや箸などの食器、氷、調味料等を客に渡すことを示してもよい。なお、客が購入した商品を一意に示す番号に代えて、食事をするテーブルを指定する番号等を印刷するようにしてもよい。
【００９１】
図１１（Ｂ）は、フルセルフモードで発行されるレシートの一例を示す図である。ここでのレシートは、登録された商品に基づく情報を印刷した第１媒体の一例である。図１１（Ｂ）に示されるレシートには、物販レシートであることや、客が購入した商品（缶コーヒー、カップめん）や合計、お預り、お釣り等、一般的なレシートと同じ内容が印刷される。
【００９２】
以上説明した券売機モード、フルセルフモードの処理概要についてフローチャートを用いて説明する。図１２は、券売機モードでの処理の一例を示すフローチャートを示す図である。また、図１３は、フルセルフモードでの処理の一例を示すフローチャートを示す図である。なお、本実施形態では、券売機モードとフルセルフモードで運用するので、券売機モードからの切り替え先をフルセルフモードのみとしている。同様にフルセルフモードからの切り替え先を券売機モードのみとしている。
【００９３】
図１２において、フルセルフモードから券売機モードに移行すると、ＣＰＵ２０１は、客側スキャナ部２０６を停止する（ステップＳ１０１）。ＣＰＵ２０１は、図１０（Ａ）で示した登録画面３１０を表示し（ステップＳ１０２）、取り消しボタン３１４を表示する（ステップＳ１０３）。
【００９４】
次いで、ＣＰＵ２０１は、フルセルフモードに移行するか否かを判定する（ステップＳ１０４）。店員側には、上述したキー操作部２１１が設けられており、このキー操作部２１１には、フルセルフモードに移行するためボタンが設けられている。このボタンが店員により押下された場合に、ステップＳ１０４で肯定判定され、押下されていない場合にステップＳ１０４で否定判定される。
【００９５】
フルセルフモードに移行する場合には（ステップＳ１０４：ＹＥＳ）、図１３のステップＳ２０１に処理を実行する。フルセルフモードに移行しない場合には（ステップＳ１０４：ＮＯ）、ＣＰＵ２０１は、商品登録ボタン３１１が押下されたか否かを判定する（ステップＳ１０５）。商品登録ボタン３１１が押下されていない場合には（ステップＳ１０５：ＮＯ）、ＣＰＵ２０１は、登録済み商品が１つ以上か否かを判定する（ステップＳ１０７）。登録済み商品が１つ未満の場合には（ステップＳ１０７：ＮＯ）、ＣＰＵ２０１は、ステップＳ１０４に戻る。登録済み商品が１つ以上の場合には（ステップＳ１０７：ＹＥＳ）、ＣＰＵ２０１は、ステップＳ１０８に進む。
【００９６】
ステップＳ１０５において、商品登録ボタン３１１が押下された場合には（ステップＳ１０５：ＹＥＳ）、ＣＰＵ２０１は、押下された商品登録ボタン３１１に対応する商品を登録する（ステップＳ１０６）。ＣＰＵ２０１は、会計ボタン３１３が押下されたか否かを判定する（ステップＳ１０８）。会計ボタン３１３が押下された場合には（ステップＳ１０８：ＹＥＳ）、ＣＰＵ２０１は、精算を行い（ステップＳ１０９）、注文データを送信し（ステップＳ１１０）、登録データを管理装置１０に送信し（ステップＳ１１１）、ステップＳ１０２に戻る。
【００９７】
ステップＳ１０８において、会計ボタン３１３が押下されていない場合には（ステップＳ１０８：ＮＯ）、ＣＰＵ２０１は、取り消しボタン３１４が押下されたか否かを判定する（ステップＳ１１２）。取り消しボタン３１４が押下されていない場合には（ステップＳ１１２：ＮＯ）、ＣＰＵ２０１は、ステップＳ１０５に戻る。一方、取り消しボタン３１４が押下されている場合には（ステップＳ１１２：ＹＥＳ）、ＣＰＵ２０１は、登録データを破棄して（ステップＳ１１３）、ステップＳ１０２に戻る。
【００９８】
次に、図１３は、フルセルフモードでの処理について説明する。図１３において、券売機モードからフルセルフモードに移行すると、ＣＰＵ２０１は、客側スキャナ部２０６の動作を開始する（ステップＳ２０１）。また、ＣＰＵ２０１は、取り消しボタン３１４を消去し（ステップＳ２０２）、図１０（Ｂ）で示した登録画面３２０を表示する（ステップＳ２０３）。
【００９９】
次いで、ＣＰＵ２０１は、券売機モードに移行するか否かを判定する（ステップＳ２０４）。キー操作部２１１には、券売機モードに移行するためボタンが設けられている。このボタンが店員により押下された場合に、ステップＳ２０４で肯定判定され、押下されていない場合にステップＳ２０４で否定判定される。
【０１００】
券売機モードに移行する場合には（ステップＳ２０４：ＹＥＳ）、図１２のステップＳ１０１に処理を実行する。券売機モードに移行しない場合には（ステップＳ２０４：ＮＯ）、ＣＰＵ２０１は、客側スキャナ部２０６により商品に付されたコードが読み取られたか否かを判定する（ステップＳ２０５）。コードが読み取られていない場合には（ステップＳ２０５：ＮＯ）、ＣＰＵ２０１は、登録済み商品が１つ以上か否かを判定する（ステップＳ２０７）。登録済み商品が１つ未満の場合には（ステップＳ２０７：ＮＯ）、ＣＰＵ２０１は、ステップＳ２０４に戻る。登録済み商品が１つ以上の場合には（ステップＳ２０７：ＹＥＳ）、ＣＰＵ２０１は、ステップＳ２０８に進む。
【０１０１】
ステップＳ２０５において、コードが読み取られた場合には（ステップＳ２０５：ＹＥＳ）、ＣＰＵ２０１は、読み取られたコードに対応する商品を登録する（ステップＳ２０６）。ＣＰＵ２０１は、会計ボタン３２２が押下されたか否かを判定する（ステップＳ２０８）。会計ボタン３２２が押下された場合には（ステップＳ２０８：ＹＥＳ）、ＣＰＵ２０１は、精算を行い（ステップＳ２０９）、登録データを管理装置１０に送信し（ステップＳ２１０）、ステップＳ２０３に戻る。
【０１０２】
図１２、図１３で示したように、券売機モードとフルセルフモードとでは、以下の違いがある。まず、券売機モードにおいて客側スキャナ部２０６は停止し、フルセルフモードにおいて客側スキャナ部２０６は動作する。このように券売機モードにおいて客側スキャナ部２０６を停止させることで、誤った商品の登録等を防ぐことができる。次に、券売機モードにおいて取り消しボタン３１４が表示されるが、フルセルフモードにおいて取り消しボタンは表示されない。このようにすることで、上述したように券売機モードでの利便性が向上されるとともに、フルセルフモードにおける不正を防止することができる。
【０１０３】
次に、発行されるレシート等が異なる。具体的に、券売機モードではレシートと食券が発行され、フルセルフモードではレシートのみが発行される。また、精算後の処理が異なる。具体的に、券売機モードでは注文データがキッチンモニタ８０及びキッチンプリンタ９５に送信される処理が行われるが、フルセルフモードでは、注文データの送信は行われない。券売機モードでは注文データがキッチンモニタ８０及びキッチンプリンタ９５に送信されることで、調理や商品の用意を迅速に行うことができる。
【０１０４】
このように、本実施形態における券売機モードは、フルセルフモードの一態様ではなく、フルセルフモードとは異なるモードである。このように、フルセルフモードの一態様ではなく、券売機モードとして動作可能とすることで、多様な販売形態に十分に対応可能となる。
【０１０５】
本実施形態では、フルセルフモードと券売機モードで運用する例について説明したが、これに限るものではない。上述したように、ＰＯＳ端末２０は、通常モード、セミセルフモードでも動作可能であるため、状況（例えば客の混雑の程度や、操作に不慣れな客の数など）に応じて通常モード、またはセミセルフモードも含めて運用するようにしてもよい。
【０１０６】
以上説明した実施形態では、図１１に示したように、食券、レシートは紙媒体に印刷して出力されるが、スマートフォンなどの携帯端末に出力してもよい。この場合、携帯端末に出力された食券は、図１１（Ａ）に示した食券が画像として携帯端末に表示される。同様に、携帯端末に出力されたレシートは、図１１（Ａ）、図１１（Ｂ）に示したレシートが電子レシートとして携帯端末に表示される。客は、食券が表示された携帯端末を、紙に印刷された食券と同様に店員に提示し、店員が携帯端末に表示された食券を確認することで、商品を客に引き渡す。
【０１０７】
このように、紙媒体での出力に限らず、スマートフォン等の携帯端末に出力しても、紙媒体に出力したときと同様に運用することができる。なお、携帯端末に出力する場合には、携帯端末のアプリケーションで、客に付与される特典（例えば、ポイント、品券や割引券等のサービス券等）を管理したり、購入履歴を表示する機能や、お買い得情報を通知する機能を提供するようにしてもよい。また、携帯端末は客のスマートフォンに限らず、客に貸与する携帯端末であってもよい。
【０１０８】
以上説明した実施形態において、消込を行う場合のいくつかの形態について説明する。ここでの消込とは、券売機モードのＰＯＳ端末２０から出力された食券と引き換えに渡される商品について、客が商品を受け取ったことを、店員または客が入力することをいう。キッチンモニタ等が備えられている一般的なシステムにおける消込では、キッチンモニタ等で消込が行われることから、本実施形態においてもキッチンモニタ８０等で消込を行ってもよいが、ＰＯＳ端末２０で消込を行ってもよい。
【０１０９】
ＰＯＳ端末２０での消込として、店員により消込を行う形態と客により消込を行う形態の少なくとも一方を実行可能としてもよい。店員により消込を行う形態として、３つの形態が挙げられる。１つ目の形態は、ＰＯＳ端末２０の店員側表示部２１０に、客が購入した商品を一意に示す番号を含む消込用のボタンを表示し、店員が商品引き渡し時に当該ボタンを押下する形態である。２つ目の形態は、上述したようにキッチンプリンタ９５は注文データを受信し、当該注文データには商品を一意に示す番号を含むので、当該番号をキッチンプリンタ９５が印刷し、店員は、キッチンプリンタ９５が印刷した番号を、商品引き渡し時にＰＯＳ端末２０にキー操作部２１１またはタッチパネルで入力することで消込を行う形態である。３つ目の形態は、番号を示すバーコード等をキッチンプリンタ９５が印刷し、店員は、キッチンプリンタ９５が印刷したバーコードを、商品引き渡し時にＰＯＳ端末２０の店員側スキャナ部２１２に読み取らせることで消込を行う形態である。
【０１１０】
客により消込を行う形態として、４つの形態が挙げられる。１つ目の形態は、客側表示部２０５に商品を受け取ったことを確認させるためのボタンを表示し、当該ボタンを客に押下させることで消込を行う形態である。２つ目の形態は、図１１（Ａ）に示した食券に印刷された番号を、客がタッチパネルで入力することで消込を行う形態である。３つ目の形態は、図１１（Ａ）に示した食券に番号を示すバーコードを印刷し、客が当該バーコードを客側スキャナ部２０６に読み取らせることで消込を行う形態である。４つ目の形態は、上述した携帯端末に食券を出力する形態において、当該携帯端末に商品を受け取ったことを確認させるためのボタンを表示し、当該ボタンを客に押下させることで消込を行う形態である。
【０１１１】
以上説明した消込を行う各種形態は店舗の方針に応じて実行するようにしてもよい。例えば、店舗の方針が客に余計な操作をさせないというものであれば、店員が消込を行う形態を実行し、店舗の方針が確実に客に渡したことを記録したいというものであれば、客が消込を行う形態を実行するようにしてもよい。このように、消込においても各種形態を実行可能とすることで、多様な販売形態に十分に対応可能なＰＯＳ端末を提供することができる。
【０１１２】
次に、セミセルフモードの種々の態様について説明する。上述したセミセルフモードでは、登録モードで動作するＰＯＳ端末から、会計モードで動作するＰＯＳ端末を指定する必要があるが、この指定方法について説明する。以下の説明では、登録モードで動作するＰＯＳ端末を登録装置と表現し、会計モードで動作するＰＯＳ端末を会計装置と表現する。
【０１１３】
複数の会計装置のうちから会計処理を実行させる会計装置を指定する態様としては、会計処理を実行させる会計装置を、店員が登録装置にて指定する態様（第１の指定態様）と、客に手渡しされるお会計券を登録装置から発行させ、店員から手渡しされたお会計券を、客が１つの会計装置に読み取らせる態様（第２の指定態様）とがあるが、会計装置を指定する態様としては、上記の態様に限定されない。例えば、以下のように会計装置を指定する態様であってもよい。
【０１１４】
１つの態様として、商品登録の完了に応じて表示された送信ボタンに対して行われた操作に応じて（あるいは商品登録の完了を宣言するような操作であってもよい）、登録装置が、例えば会計装置に状態の問合せを行って会計処理が可能な（例えば、障害が発生しておらず、使用中でもない）会計装置を認識し、使用中でない会計装置のうちから所定の規則（例えば会計装置番号順）に従って、１つの会計装置を決定する。そして、登録装置は、決定した会計装置に会計情報を送信して会計処理の実行を指示する。
【０１１５】
もう１つの態様として、予め会計装置について会計処理の優先順位を設定しておくようにする。そのうえで、商品登録の完了に応じて、会計装置への会計情報の送信を指示する送信ボタンの操作が有効となるように表示する。送信ボタンが操作されたことに応じて、登録装置は、設定された優先順位に従った順で会計装置の会計処理が可能であるか否かを確認し、会計処理が可能であることが確認されなければ、優先順位が次の会計装置について確認するようにする。そのうえで、登録装置は、最初に会計処理が可能であることが確認された会計装置に会計情報を送信して会計処理の実行を指示する。
【０１１６】
もう１つの態様として、登録装置は、全ての会計装置に会計情報を送信する。会計情報を受信した会計装置は、自己が受信した会計情報に含まれる会計情報を利用して会計処理を実行可能な状態となると、自己が会計処理を実行することを通知する会計処理実行通知を会計情報の送信元の登録装置に送信する。
【０１１７】
登録装置は、会計処理実行通知の受信に応じて、会計処理実行通知の送信先の会計装置を示す表示（会計処理実行表示）を行う。店員は、会計処理実行表示を見て、会計処理を実行する会計装置がいずれであるのかを客に伝えればよい。
【０１１８】
この際、会計処理実行表示とともに、会計処理実行通知を送信した会計装置のサインポールを所定のパターンで点灯させたり、会計装置から所定の報知音を出力させたりすることで、自己が会計処理を実行することを報知するようにしてよい。
【０１１９】
もう１つの態様として、登録装置にて商品登録を終えた商品が容れられた買い物カゴを、店員が、会計装置ごとに対応して設置されたカゴ置き場のうちのいずれかに買い物カゴを移動させる。
【０１２０】
カゴ置き場には、載置された買い物カゴを検出するセンサが備えられる。センサによりカゴ置き場買い物カゴが載置されたことが判定されると、対応の会計装置が要求を行って、登録装置から対応の会計情報を取得し、会計処理を実行するようにされる。この場合にも、会計処理を実行することとなった会計装置が、サインポールの点灯や報知音の出力などにより、自己が会計処理を実行することを報知するようにしてよい。
【０１２１】
もう１つの態様として、登録装置は、会計情報と、複数の会計装置間での転送順を設定した転送順情報とを含む会計指示情報を、或る１つの会計装置に送信する。転送順情報は、会計装置間で循環的に転送順を指定するものであってよい。
【０１２２】
会計指示情報を受信した会計装置は、自己が会計処理を実行可能であれば、会計指示情報の送信元の登録装置に対して、会計処理実行通知を送信し、受信された会計指示情報に含まれる会計情報を利用して会計処理を実行する。
【０１２３】
一方、会計指示情報を受信した会計装置は、自己が会計処理を実行不可である場合、受信された会計指示情報に含まれる転送順情報に従って、転送順が次の会計装置に対して、受信された会計指示情報を転送する。このようにして、会計装置間で会計指示情報が順次転送されるようにすることによっても、会計処理を実行させるべき会計装置の指定に相当する手順が実現される。
【０１２４】
なお、以上に説明したＰＯＳ端末２０を実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１２５】
２０…ＰＯＳ端末
３０…ストアコントローラ
２０１…ＣＰＵ
２０２…ＲＯＭ
２０３…ＲＡＭ
２０４…ハードディスク
２０５…客側表示部
２０６…客側スキャナ部
２０８…カード決済部
２０９…釣銭機
２１０…店員側表示部
２１１…キー操作部
２１２…店員側スキャナ部
２１３…印刷部
２１４…音声出力部
２１５…通信部
【図１】
2019211910.tif 000003
【図２】
2019211910.tif 000004
【図３】
2019211910.tif 000005
【図４】
2019211910.tif 000006
【図５】
2019211910.tif 000007
【図６】
2019211910.tif 000008
【図７】
2019211910.tif 000009
【図８】
2019211910.tif 000010
【図９】
2019211910.tif 000011
【図１０】
2019211910.tif 000012
【図１１】
2019211910.tif 000013
【図１２】
2019211910.tif 000014
【図１３】
2019211910.tif 000015